(57)【要約】【課題】塵埃に対する防護性能が充分であり、また、ドライブ機構がユーザに対して剥き出しにならず高級感を備えた光ディスク装置の提供。【解決手段】開口部を閉止し、光ディスク１０の挿入前に開放され、挿入された後に閉止する第１扉７と、挿入された光ディスク１０をスピンドルモータ１２の軸方向と垂直に掴持する掴持手段９ａ，９ｂと、ハウジング６の掴持手段９ａ，９ｂ及びスピンドルモータ１２間を閉止し、掴持手段９ａ，９ｂが光ディスク１０を掴持し第１扉７が閉止したときに開放される第２扉８ａ，８ｂと、第２扉８ａ，８ｂの開放状態で掴持手段９ａ，９ｂを第２扉８ａ，８ｂのスピンドルモータ１２側へ搬送する手段１５とを備え、搬送する手段１５が掴持手段９ａ，９ｂをスピンドルモータ１２側へ搬送後、第２扉８ａ，８ｂが閉止し、掴持手段９ａ，９ｂが放した光ディスク１０を保持手段１４が保持する構成である。【選択図】図２
2010049774.tif 000002
【特許請求の範囲】
【請求項１】
両端部に底を有する筒形状のハウジングの一方の底に設けられた開口部から挿入された光ディスクを保持する保持手段と、前記ハウジングの他方の底付近に設けられ、前記保持手段が保持する光ディスクを回転させるスピンドルモータとを備える光ディスク装置において、
前記開口部を閉止し、光ディスクが挿入される前に開放され、光ディスクが挿入された後に閉止する第１扉と、挿入された光ディスクを前記スピンドルモータの軸方向と垂直に掴持する掴持手段と、前記ハウジングの該掴持手段及び前記スピンドルモータ間を閉止し、該掴持手段が光ディスクを掴持し前記第１扉が閉止したときに開放される第２扉と、該第２扉が開放された状態で、前記掴持手段を前記第２扉のスピンドルモータ側へ搬送する手段とを備え、該手段が前記掴持手段をスピンドルモータ側へ搬送した後、前記第２扉が閉止し、前記掴持手段が放した光ディスクを前記保持手段が保持するように構成してあることを特徴とする光ディスク装置。
【請求項２】
前記保持手段は、前記第２扉のスピンドルモータ側の面から突き出した状態に設けられている請求項１記載の光ディスク装置。
【請求項３】
前記第１扉及び第２扉は、その全面又は一部が透明又は半透明である請求項１又は２記載の光ディスク装置。
【発明の詳細な説明】
【技術分野】
【０００１】
本発明は、ＤＶＤ（Digital Versatile Disk）、ブルーレイディスク及びＣＤ（Compact Disk）等の光ディスクを再生又は再生／記録する光ディスク装置に関するものである。
【背景技術】
【０００２】
光ディスクは、ＤＶＤ、ブルーレイディスク等、大容量化が進んでおり、その記録再生装置である光ディスク装置は、テレビジョン受像機に内蔵されることも多くなって来ている。
光ディスク装置では、従来、携帯型以外では、光ディスクをトレイに載置した状態で出し入れするのが一般的であるが、最近、トレイを使用せずに直接光ディスクを押込むスロットインドライブ方式も採用されるようになっている。
【０００３】
特許文献１には、光学ヘッドを案内する光学ヘッド案内機構と光学ヘッドの一部とを覆うユニット機構カバーを設け、ユニット機構カバーがユニット機構とばね及び／又はゴムとで連結する光ディスク装置が開示されている。ばね及び／又はゴムと質点として機能するユニット機構カバーとから動吸振器を構成し、ばね及び／又はゴムの主振動軸をユニット機構カバーの振動方向と一致させる。これにより、スリム型の光ディスク装置に動吸振器を搭載するに際して、動吸振器を設置する為の特別の空間を設けることなく、光ディスク装置の低振動化と防塵化とを図る。
【０００４】
特許文献２には、デッキ部の上下左右の側面をシート状の上側防塵カバー及び下側防塵カバーで覆い、デッキ部の開口部から埃や塵などがデッキ部の内部に侵入することを防ぎ、デッキ部の内部の光ピックアップ部に埃や塵などが付着することを防ぐ光ディスク装置が開示されている。
【特許文献１】特開２００４−３１９００５号公報
【特許文献２】特開２００２−１３３８４３号公報
【発明の開示】
【発明が解決しようとする課題】
【０００５】
上述したように、テレビジョン受像機に光ディスク装置を内蔵させるような場合、ディスプレイ下方の床近くに配置されることが多いが、その場合、周囲の塵埃が比較的多くなるのに対して、従来の方式では防護性能が不足するという問題がある。また、光ディスクの出し入れ時に、トレイ及びピックアップ等のドライブ機構がユーザに対して剥き出しになり、見た目が悪い（安っぽく見える）という問題がある。
本発明は、上述したような事情に鑑みてなされたものであり、塵埃に対する防護性能が充分であり、また、ドライブ機構がユーザに対して剥き出しにならず高級感を備えた光ディスク装置を提供することを目的とする。
【課題を解決するための手段】
【０００６】
本発明に係る光ディスク装置は、両端部に底を有する筒形状のハウジングの一方の底に設けられた開口部から挿入された光ディスクを保持する保持手段と、前記ハウジングの他方の底付近に設けられ、前記保持手段が保持する光ディスクを回転させるスピンドルモータとを備える光ディスク装置において、前記開口部を閉止し、光ディスクが挿入される前に開放され、光ディスクが挿入された後に閉止する第１扉と、挿入された光ディスクを前記スピンドルモータの軸方向と垂直に掴持する掴持手段と、前記ハウジングの該掴持手段及び前記スピンドルモータ間を閉止し、該掴持手段が光ディスクを掴持し前記第１扉が閉止したときに開放される第２扉と、該第２扉が開放された状態で、前記掴持手段を前記第２扉のスピンドルモータ側へ搬送する手段とを備え、該手段が前記掴持手段をスピンドルモータ側へ搬送した後、前記第２扉が閉止し、前記掴持手段が放した光ディスクを前記保持手段が保持するように構成してあることを特徴とする。
【０００７】
この光ディスク装置では、両端部に底を有する筒形状のハウジングの一方の底に設けられた開口部から挿入された光ディスクを保持手段が保持し、ハウジングの他方の底付近に設けられたスピンドルモータが、保持手段が保持する光ディスクを回転させる。第１扉が、ハウジングの一方の底に設けられた開口部を閉止し、光ディスクが挿入される前に開放され、光ディスクが挿入された後に閉止する。掴持手段が、挿入された光ディスクをスピンドルモータの軸方向と垂直に掴持する。第２扉が、ハウジングの掴持手段及びスピンドルモータ間を閉止し、掴持手段が光ディスクを掴持し第１扉が閉止したときに開放され、第２扉が開放された状態で、搬送する手段が、掴持手段を第２扉のスピンドルモータ側へ搬送する。搬送する手段が掴持手段をスピンドルモータ側へ搬送した後、第２扉が閉止し、掴持手段が放した光ディスクを保持手段が保持する。
【０００８】
本発明に係る光ディスク装置は、前記保持手段は、前記第２扉のスピンドルモータ側の面から突き出した状態に設けられていることを特徴とする。
【０００９】
本発明に係る光ディスク装置は、前記第１扉及び第２扉は、その全面又は一部が透明又は半透明であることを特徴とする。
【発明の効果】
【００１０】
本発明に係る光ディスク装置によれば、塵埃に対する防護性能が充分であり、また、ドライブ機構がユーザに対して剥き出しにならず高級感を備えた光ディスク装置を実現することができる。また、ドライブ機構は、従来のトレイ式のものを流用することができ、汎用性を高めることが可能である。
【発明を実施するための最良の形態】
【００１１】
以下に、本発明をその実施の形態を示す図面に基づき説明する。
図１は、本発明に係る光ディスク装置の実施の形態を内蔵したテレビジョン受像機の外観を示す正面図である。
このテレビジョン受像機１は、台座５に支持されており、液晶ディスプレイからなるテレビジョン画面２の下方に設けられた左右２つのアンダースピーカ３，３と、アンダースピーカ３，３の間に内蔵された本発明に係る光ディスク装置であるブルーレイドライブ４とを備えている。
【００１２】
ブルーレイドライブ４は、薄型のテレビジョン受像機１に内蔵する為に、ブルーレイディスク等の光ディスクが鉛直方向に保持された状態で回転する縦型である。ユーザは、テレビジョン画面２の直下に設けられた扉を、図示しないボタンの操作及び／又は手動により開放し、光ディスクを縦方向に載置する。ブルーレイドライブ４の他の操作は、テレビジョン受像機１の他の操作と同様、図示しないリモートコントロール装置により行う。
【００１３】
図２は、ブルーレイドライブ４の側方からの断面を示す側縦断面図であり、図３は、ブルーレイドライブ４の正面からの各部の輪郭を示す透視図である。
側縦断面図（図２）では、扉である防塵用第１蓋７（第１扉）が開放されて、光ディスク１０が挿入された状態を示している。
ブルーレイドライブ４は、両端部に底を有する角筒形状のハウジング６に収納されており、防塵用第１蓋７は、ハウジング６の手前側の（一方の）底の大半を占める開口部を閉止する。
【００１４】
防塵用第１蓋７は、図４に示すように、下端部に設けられた回転ヒンジ部１７を支点に手前に回動して、図５に示すように、上端部が開放される。防塵用第１蓋７には、右上部に内部の光ディスク１０を視認する為の扇形の窓１６が設けられている。
ハウジング６の奥側の（他方の）底付近には、図１１に示すように、底に略平行に方形板形状のメインシャーシ２２が設けられている。尚、図１１は、ブルーレイドライブ４を下方から見た各部の輪郭を示す下面透視図である。
【００１５】
メインシャーシ２２は、その正面から見て左端の上下に設けられた回転ヒンジ部２４，２４を支点に前後に回動するように構成されている。回転ヒンジ部２４，２４は、ハウジング６に固定されている。
ハウジング６の奥側の（他方の）底には、カム機構及びレバー等によりシャーシ類を駆動する為のシャーシ駆動モータ１９が固定されている。
【００１６】
メインシャーシ２２の手前側の面には、２本のガイドシャフト２１が互いに平行に水平に固定されている。光ピックアップ１１は、メインシャーシ２２に固定された駆動モータ２０により、２本のガイドシャフト２１に沿って移動する。
光ディスク１０を回転させるスピンドルモータ１２は、メインシャーシ２２に固定されている。
【００１７】
光ディスク１０は、防塵用第１蓋７が開放されて挿入されると、２つの保持羽根９ａ，９ｂ（掴持手段）により鉛直に掴持される。２つの保持羽根９ａ，９ｂは、光ディスク１０を掴持していないときは、図６に示すように、左右に開いている。保持羽根９ａ，９ｂは、光ディスク１０が載置されると、図７に示すように、保持羽根回転支点１８を中心に互いに逆方向へ、光ディスク１０を掴持する迄回動し、掴持している間は光ディスク１０方向へ付勢される。保持羽根９ａ，９ｂは、シャーシ駆動モータ１９に連動する保持羽根開閉レバー１３により駆動される。
【００１８】
２つの保持羽根９ａ，９ｂには、光ディスク１０を遊嵌する為の溝が設けられている。保持羽根９ａは羽根部分が幅広に形成され、その分、溝が深くなっており、光ディスク１０が載置されたときには、保持羽根９ａのみで光ディスク１０を鉛直に支持する。
２つの保持羽根９ａ，９ｂは、保持羽根回転支点１８で光ディスク保持台１５に保持されている。
【００１９】
図２に示すように、防塵用第１蓋７が開放され、光ディスク１０が挿入されるときには、ハウジング６の保持羽根９ａ，９ｂ及びスピンドルモータ１２間を防塵用第２蓋８ａ，８ｂ（第２扉）が閉止している。防塵用第２蓋８ａ，８ｂは、防塵用第１蓋７との間に保持羽根９ａ，９ｂを収容する空間を備えて設けられており、開放されるときは、図８に示すように、右半部８ａ及び左半部８ｂの２つに別れて、ハウジング６外に突設されたそれぞれの図示しない戸袋へ収納される。
防塵用第２蓋８ａ，８ｂの中央部には、クランパ（保持手段）１４が左半部８ｂに、回転自在に、またスピンドルモータ１２側に突設されている。尚、防塵用第２蓋の右半部８ａには、防塵用第１蓋７の窓１６（図４）と同様の位置に、同じ扇形の窓１６ａが設けられており、防塵用第２蓋８ａ，８ｂが閉止された状態で、光ディスク１０のラベル面を視認可能となっている。
【００２０】
防塵用第２蓋８ａ，８ｂは、保持羽根９ａ，９ｂが光ディスク１０を掴持し、防塵用第１蓋７が閉止されると、シャーシ駆動モータ１９により開放される（図８）。防塵用第２蓋８ａ，８ｂが開放された状態で、光ディスク保持台１５は、シャーシ駆動モータ１９に連動するディスクローディングカム２３（図１１）により、図９に示すように、防塵用第２蓋８ａ，８ｂのスピンドルモータ１２側へ搬送される。これにより、保持羽根９ａ，９ｂに掴持された光ディスク１０も、防塵用第２蓋８ａ，８ｂのスピンドルモータ１２側へ搬送される。
【００２１】
防塵用第２蓋８ａ，８ｂは、保持羽根９ａ，９ｂに掴持された光ディスク１０が、防塵用第２蓋８ａ，８ｂのスピンドルモータ１２側へ搬送されると、図１０に示すように、シャーシ駆動モータ１９により閉止する。防塵用第２蓋８ａ，８ｂが閉止すると、メインシャーシ２２が、シャーシ駆動モータ１９により回転ヒンジ部２４，２４を支点に手前に回動することにより、スピンドルモータ１２が手前に移動する（図１１）。また、これと同時的に、保持羽根９ａ，９ｂが、図６に示すように、左右に開いて光ディスク１０を放す。
これにより、光ディスク１０は、スピンドルモータ１２に押圧された状態で、クランパ１４に保持され、スピンドルモータ１２により回転可能となる（図１２）。
【００２２】
以下に、このような構成のブルーレイドライブ４の動作を説明する。
ユーザが、図示しないボタンの操作及び／又は手動により、図２に示すように、防塵用第１蓋７を開放し、光ディスクを縦方向に保持羽根９ａに載置すると、保持羽根９ａ，９ｂが、図７に示すように、光ディスク１０を掴持する迄回動する。また、同時的に、防塵用第１蓋７が、シャーシ駆動モータ１９により閉止される。
保持羽根９ａ，９ｂは、光ディスク１０を掴持している間は光ディスク１０方向へ付勢されている。
【００２３】
保持羽根９ａ，９ｂが光ディスク１０を掴持し、防塵用第１蓋７が閉止されると、防塵用第２蓋８ａ，８ｂが、図８に示すように、シャーシ駆動モータ１９により開放される。
防塵用第２蓋８ａ，８ｂが開放されると、保持羽根９ａ，９ｂに掴持された光ディスク１０が、光ディスク保持台１５と共に、図９に示すように、防塵用第２蓋８ａ，８ｂのスピンドルモータ１２側へ搬送される。光ディスク保持台１５は、シャーシ駆動モータ１９に連動するディスクローディングカム２３（図１１）により搬送される。
【００２４】
保持羽根９ａ，９ｂに掴持された光ディスク１０が、防塵用第２蓋８ａ，８ｂのスピンドルモータ１２側へ搬送されると、防塵用第２蓋８ａ，８ｂは、図１０に示すように、シャーシ駆動モータ１９により閉止する。
防塵用第２蓋８ａ，８ｂが閉止すると、メインシャーシ２２が、回転ヒンジ部２４，２４（図１１）を支点に手前に回動することにより、スピンドルモータ１２が手前に移動する。また、これと同時的に、保持羽根９ａ，９ｂが、図６に示すように、左右に開いて光ディスク１０を放す。
スピンドルモータ１２が手前に移動し、保持羽根９ａ，９ｂが光ディスク１０を放すことにより、光ディスク１０は、図１２に示すように、スピンドルモータ１２に押圧された状態で、クランパ１４に保持され、スピンドルモータ１２により回転可能となる。
【００２５】
光ディスク１０がスピンドルモータ１２により回転している状態で、光ピックアップ１１は、駆動モータ２０により２本のガイドシャフト２１に沿って移動しながら、光ディスク１０に記録された情報を読取る。
光ディスク１０の情報の読取りが終了すると、図１０に示すように、光ディスク１０が保持羽根９ａ，９ｂに掴持され、防塵用第２蓋８ａ，８ｂが閉止された状態で待機する。図示しないリモートコントロール装置により、光ディスク１０の取出しが指示されると、上述した動作の逆の順序で、図２に示すように、防塵用第１蓋７が開放され、保持羽根９ａから光ディスク１０を取出すことが可能な状態となる。
尚、上記の実施の形態では、光ディスクを鉛直に保持する光ディスク装置について説明しているが、本発明は、光ディスクを水平、斜め等に保持する光ディスク装置についても実施可能である。
【図面の簡単な説明】
【００２６】
【図１】本発明に係る光ディスク装置の実施の形態を内蔵したテレビジョン受像機の外観を示す正面図である。
【図２】ブルーレイドライブの側方からの断面を示す側縦断面図である。
【図３】ブルーレイドライブの正面からの各部の輪郭を示す透視図である。
【図４】ブルーレイドライブの防塵用第１蓋を模式的に示す外観図である。
【図５】ブルーレイドライブの防塵用第１蓋の開放状態を模式的に示す模式図である。
【図６】ブルーレイドライブの保持羽根を模式的に示す模式図である。
【図７】ブルーレイドライブの保持羽根の動作を模式的に示す模式図である。
【図８】ブルーレイドライブの防塵用第１蓋の開放状態を模式的に示す説明図である。
【図９】ブルーレイドライブの側方からの断面を示す側縦断面図である。
【図１０】ブルーレイドライブの側方からの断面を示す側縦断面図である。
【図１１】ブルーレイドライブを下方から見た各部の輪郭を示す下面透視図である。
【図１２】ブルーレイドライブの側方からの断面を示す側縦断面図である。
【符号の説明】
【００２７】
１  テレビジョン受像機
２  テレビジョン画面
４  ブルーレイドライブ
６  ハウジング
７  防塵用第１蓋（第１扉）
８ａ，８ｂ  防塵用第２蓋（第２扉）
９ａ，９ｂ  保持羽根（掴持手段）
１０  光ディスク
１１  光ピックアップ
１２  スピンドルモータ
１４  クランパ（保持手段）
１５  光ディスク保持台
１６，１６ａ  窓
１９  シャーシ駆動モータ
２０  駆動モータ
２２  メインシャーシ
２３  ディスクローディングカム
２４  回転ヒンジ部
【図１】
2010049774.tif 000003
【図２】
2010049774.tif 000004
【図３】
2010049774.tif 000005
【図４】
2010049774.tif 000006
【図５】
2010049774.tif 000007
【図６】
2010049774.tif 000008
【図７】
2010049774.tif 000009
【図８】
2010049774.tif 000010
【図９】
2010049774.tif 000011
【図１０】
2010049774.tif 000012
【図１１】
2010049774.tif 000013
【図１２】
2010049774.tif 000014